(57)【要約】【課題】  放電時に生じた金属蒸気による寿命特性の劣化を抑制することができるサージ防護素子を提供すること。【解決手段】  絶縁性管と、絶縁性管の両端開口部を閉塞して内部に放電制御ガスを封止する一対の封止電極と、絶縁性管内に収納され両端部４ｂが一対の封止電極に接触した板状絶縁性部材４と、板状絶縁性部材の中央に導電性材料で形成された放電補助部５とを備え、板状絶縁性部材が、少なくとも一方の面の端部と放電補助部との間に絶縁性管の軸線を横切る方向に延在して形成された溝部４ａを有している。【選択図】      図２
2019153477.tif 000002
【特許請求の範囲】
【請求項１】
絶縁性管と、
前記絶縁性管の両端開口部を閉塞して内部に放電制御ガスを封止する一対の封止電極と、
前記絶縁性管内に収納され両端部が一対の前記封止電極に接触した板状絶縁性部材と、
前記板状絶縁性部材の中央に導電性材料で形成された放電補助部とを備え、
前記板状絶縁性部材が、少なくとも一方の面の端部と前記放電補助部との間に前記絶縁性管の軸線を横切る方向に延在して形成された溝部を有していることを特徴とするサージ防護素子。
【請求項２】
請求項１に記載のサージ防護素子において、
前記溝部が、前記板状絶縁性部材の両面に形成されていることを特徴とするサージ防護素子。
【請求項３】
請求項１又は２に記載のサージ防護素子において、
前記溝部が、前記板状絶縁性部材の全幅にわたって形成されていることを特徴とするサージ防護素子。
【請求項４】
請求項１から３のいずれか一項に記載のサージ防護素子において、
前記溝部が、前記板状絶縁性部材の前記端部と前記放電補助部との間で前記板状絶縁性部材の長さ方向に並んで複数形成されていることを特徴とするサージ防護素子。
【発明の詳細な説明】
【技術分野】
【０００１】
本発明は、落雷等で発生するサージから様々な機器を保護し、事故を未然に防ぐのに使用するサージ防護素子に関する。
【背景技術】
【０００２】
電話機、ファクシミリ、モデム等の通信機器用の電子機器が通信線との接続する部分、電源線、アンテナ或いはＣＲＴ駆動回路等、雷サージや静電気等の異常電圧（サージ電圧）による電撃を受けやすい部分には、異常電圧によって電子機器やこの機器を搭載するプリント基板の熱的損傷又は発火等による破壊を防止するために、サージ防護素子が接続されている。
【０００３】
従来、サージ防護素子として、例えば特許文献１に示すように、ガラス管と、ガラス管の両端開口部を閉塞して内部に放電ガスを封止する一対の封止電極と、両端に一対の封止電極を配してガラス管内に収納された板状碍子とを備えたサージアブソーバが記載されている。このサージアブソーバでは、板状碍子の表面中央に導電性材料であるカーボンのトリガ部が形成されているカーボントリガ型のサージ防護素子である。
【先行技術文献】
【特許文献】
【０００４】
【特許文献１】特開２０１０−１９２３２２号公報
【発明の概要】
【発明が解決しようとする課題】
【０００５】
上記従来の技術には、以下の課題が残されている。
従来のカーボントリガ型のサージ防護素子では、ガラス管の内径が小さくなると、放電時の封止電極から発生した金属蒸気が板状碍子の表面に付着し易く、繰り返しの寿命特性が早期に劣化してしまう問題があった。すなわち、寿命特性の劣化は、放電開始電圧Ｖｓの低下が主であり、その要因は放電時に生じた金属蒸気が板状碍子の絶縁表面を汚損することによる。特に、ガラス管内径を小さくしてサージ防護素子を小型化しようとすると、放電時の封止電極から発生した金属蒸気が板状碍子の表面に容易に付着し、寿命特性が早期に劣化してしまう不都合があった。
【０００６】
本発明は、前述の課題に鑑みてなされたもので、放電時に生じた金属蒸気による寿命特性の劣化を抑制することができるサージ防護素子を提供することを目的とする。
【課題を解決するための手段】
【０００７】
本発明は、前記課題を解決するために以下の構成を採用した。すなわち、第１の発明のサージ防護素子は、絶縁性管と、前記絶縁性管の両端開口部を閉塞して内部に放電制御ガスを封止する一対の封止電極と、前記絶縁性管内に収納され両端部が一対の前記封止電極に接触した板状絶縁性部材と、前記板状絶縁性部材の中央に導電性材料で形成された放電補助部とを備え、前記板状絶縁性部材が、少なくとも一方の面の端部と前記放電補助部との間に前記絶縁性管の軸線を横切る方向に延在して形成された溝部を有していることを特徴とする。
【０００８】
このサージ防護素子では、板状絶縁性部材が、少なくとも一方の面の端部と放電補助部との間に絶縁性管の軸線を横切る方向に延在した溝部が形成されているので、溝部内の封止電極に近い側の壁面は飛び散る金属粒子の飛散方向の陰となるため金属で汚損され難く、溝部よりも内側（中心側）の汚損を防止することができる。また、溝部内には金属蒸気による金属の付着がし難く、溝部内も金属で汚損され難い部分となり、表面の絶縁性を確保することができる。したがって、板状絶縁性部材の溝部よりも内側の表面に金属で汚損されない部分が形成されることで、放電開始電圧の低下を抑えることができる。
【０００９】
第２の発明に係るサージ防護素子は、第１の発明において、前記溝部が、前記板状絶縁性部材の両面に形成されていることを特徴とする。
すなわち、このサージ防護素子では、溝部が、板状絶縁性部材の両面に形成されているので、板状絶縁性部材の両面で溝部による汚損抑制効果を得ることができる。
【００１０】
第３の発明に係るサージ防護素子は、第１又は第２の発明において、前記溝部が、前記板状絶縁性部材の全幅にわたって形成されていることを特徴とする。
すなわち、このサージ防護素子では、溝部が、板状絶縁性部材の全幅にわたって形成されているので、板状絶縁性部材の全幅にわたって溝部による汚損抑制効果を得ることができる。
【００１１】
第４の発明に係るサージ防護素子は、第１から第３の発明のいずれかにおいて、前記溝部が、前記板状絶縁性部材の前記端部と前記放電補助部との間で前記板状絶縁性部材の長さ方向に並んで複数形成されていることを特徴とする。
すなわち、このサージ防護素子では、溝部が、板状絶縁性部材の端部と放電補助部との間で板状絶縁性部材の長さ方向に並んで複数形成されているので、複数の溝部によって、より高い汚損抑制効果を得ることができる。
【発明の効果】
【００１２】
本発明によれば、以下の効果を奏する。
すなわち、本発明に係るサージ防護素子によれば、板状絶縁性部材が、少なくとも一方の面の端部と放電補助部との間に絶縁性管の軸線を横切る方向に延在した溝部が形成されているので、溝部よりも内側の表面に金属が付着し難くなる。
したがって、本発明に係るサージ防護素子では、板状絶縁性部材の溝部内の封止電極に近い側の壁面よりも内側の表面に金属で汚損されない部分が形成されることで、放電開始電圧の低下を抑えることができ、寿命特性の劣化を抑制することができる。特に、小型化した際に、絶縁性管内径が小さくなった場合や、板状絶縁性部材の端部と放電補助部との距離が短くなった場合に本発明は効果的である。
【図面の簡単な説明】
【００１３】
【図１】本発明に係るサージ防護素子の第１実施形態において、絶縁性管及び封止電極を破断した際のサージ防護素子を示す正面図である。
【図２】第１実施形態において、板状絶縁性部材を示す平面図（ａ）及びＡ−Ａ線断面図（ｂ）である。
【図３】第１実施形態において、金属蒸気の飛散を示す説明図である。
【図４】本発明に係るサージ防護素子の第２から第４実施形態において、溝部を示す要部の拡大断面図である。
【図５】本発明に係るサージ防護素子の第５実施形態において、板状絶縁性部材を示す平面図（ａ）及びＢ−Ｂ線断面図（ｂ）である。
【発明を実施するための形態】
【００１４】
以下、本発明に係るサージ防護素子の第１実施形態を、図１から図３を参照しながら説明する。なお、以下の説明に用いる各図面では、各部材を認識可能又は認識容易な大きさとするために縮尺を適宜変更している。
【００１５】
本実施形態のサージ防護素子１は、図１及び図２に示すように、絶縁性管２と、絶縁性管２の両端開口部を閉塞して内部に放電制御ガスを封止する一対の封止電極３と、絶縁性管２内に収納され両端部４ｂが一対の封止電極３に接触した板状絶縁性部材４と、板状絶縁性部材４の中央に導電性材料で形成された放電補助部５とを備えている。
【００１６】
上記板状絶縁性部材４は、少なくとも一方の面の端部４ｂと放電補助部５との間に絶縁性管２の軸線を横切る方向に延在して形成された溝部４ａを有している。
本実施形態では、溝部４ａが板状絶縁性部材４の両面にそれぞれ形成されている。すなわち、溝部４ａが、板状絶縁性部材４の片面に２本ずつ、両面で４本形成されている。
また、各溝部４ａは、板状絶縁性部材４の全幅にわたって形成されている。
さらに、各溝部４ａは、図２の（ｂ）に示すように、断面形状が半円状となっている。なお、溝部４ａの溝幅は、例えば０．１ｍｍに設定される。
【００１７】
上記絶縁性管２は、例えばガラス管であって、封止用ガラスあるいは鉛ガラスやソーダ石灰ガラスのような軟質ガラスで構成されており、円筒状となっている。また、絶縁性管２の両端近傍において封止電極３の外周面が絶縁性管２の内周面と溶着されている。
上記封止電極３は、例えばＦｅ（鉄）−Ｎｉ（ニッケル）合金の表面を酸化銅で被覆した金属で形成された放電電極であり、円柱状となっている。また、封止電極３の外面にはリード線３ａが溶接されている。このリード線３ａは、銅覆鋼線等で形成されている。
【００１８】
上記板状絶縁性部材４は、アルミナ，ムライト焼結体などのセラミックス材料で板状に形成されている碍子である。
板状絶縁性部材４の両端部４ｂは、中央部よりも幅が広く設定されている。
上記放電制御ガスは、放電開始電圧などの電気特性が所望の値となるように組成などを調整された封止ガスであって、Ｈｅ、Ａｒ、Ｎｅ、Ｘｅ、ＳＦ６、ＣＯ２、Ｃ３Ｆ８、Ｃ２Ｆ６、ＣＦ４、Ｈ２及びこれらの混合ガス等の不活性ガスである。
【００１９】
上記放電補助部５は、導電性材料であって、例えば炭素材で形成されたカーボントリガである。
放電補助部５は、板状絶縁性部材４の中央に矩形状又は軸線に沿った短い直線状に形成されている。
【００２０】
この本実施形態のサージ防護素子１では、過電圧又は過電流が侵入すると、まず放電補助部５と封止電極３との間で初期放電が行われる。この初期放電をきっかけに、さらに放電が伸展して、放電電極である一対の封止電極３間でアーク放電が行われる。このアーク放電は、板状絶縁性部材４の端部４ｂと封止電極３との接触する部分又はその近傍から図３に示すように進展する。
【００２１】
このように本実施形態のサージ防護素子１のように、板状絶縁性部材４が、少なくとも一方の面の端部４ｂと放電補助部５との間に絶縁性管２の軸線を横切る方向に延在した溝部４ａが形成されているので、溝部４ａ内の封止電極３に近い側の壁面は飛び散る金属粒子の飛散方向の陰となるため金属で汚損され難く、溝部４ａよりも内側（中心側）の汚損を防止することができる。
【００２２】
また、溝部４ａ内には金属蒸気Ｍによる金属の付着がし難く、溝部４ａ内も金属で汚損され難い部分となり、表面の絶縁性を確保することができる。
したがって、板状絶縁性部材４の溝部４ａよりも内側の表面に金属で汚損されない部分が形成されることで、放電開始電圧の低下を抑えることができる。
また、溝部４ａが、板状絶縁性部材４の両面に形成されているので、板状絶縁性部材４の両面で溝部４ａによる汚損抑制効果を得ることができる。
さらに、溝部４ａが、板状絶縁性部材４の全幅にわたって形成されているので、板状絶縁性部材４の全幅にわたって溝部４ａによる汚損抑制効果を得ることができる。
【００２３】
次に、本発明に係るサージ防護素子の第２から第５実施形態について、図４及び図５を参照して以下に説明する。なお、以下の各実施形態の説明において、上記実施形態において説明した同一の構成要素には同一の符号を付し、その説明は省略する。
【００２４】
第２実施形態と第１実施形態との異なる点は、第１実施形態では、溝部４ａの断面形状が半円状であるのに対し、第２実施形態のサージ防護素子では、図４の（ａ）に示すように、板状絶縁性部材２４の溝部２４ａが、Ｖ字状の断面形状を有している点である。
また、第３実施形態のサージ防護素子では、図４の（ｂ）に示すように、板状絶縁性部材３４の溝部３４ａが、矩形状の断面形状を有している。
また、第４実施形態のサージ防護素子では、図４の（ｃ）に示すように、板状絶縁性部材４４の溝部４４ａが、表面に対して垂直な壁部と断面円弧状の底面とからなる断面形状を有している。
【００２５】
これら第２から第４実施形態のサージ防護素子では、第１実施形態と同様に、端部４ｂから放電補助部５までの途中に介在している溝部２４ａ，３４ａ，４４ａにより金属蒸気Ｍの汚損抑制効果を得ることができる。
なお、これら溝部２４ａ，３４ａ，４４ａは、深いほど金属蒸気Ｍの汚損抑制効果を得ることができる。
【００２６】
次に、第５実施形態と第１実施形態との異なる点は、第１実施形態では、溝部４ａが板状絶縁性部材４の各端部４ｂと放電補助部５との間で１本ずつ形成されているのに対し、第５実施形態のサージ防護素子では、図５に示すように、溝部４ａが板状絶縁性部材５４の端部４ｂと放電補助部５との間で板状絶縁性部材５４の長さ方向に並んで複数形成されている点である。
【００２７】
すなわち、第５実施形態では、溝部４ａが板状絶縁性部材５４の各端部４ｂと放電補助部５との間で２本ずつ形成されている。したがって、溝部４ａが、板状絶縁性部材５４の一方の面に４本形成され、他方の面に４本形成されている。
このように第５実施形態のサージ防護素子では、溝部４ａが、板状絶縁性部材５４の端部４ｂと放電補助部５との間で板状絶縁性部材５４の長さ方向に並んで複数形成されているので、複数の溝部４ａによって、より高い汚損抑制効果を得ることができる。
【００２８】
なお、本発明の技術範囲は上記各実施形態に限定されるものではなく、本発明の趣旨を逸脱しない範囲において種々の変更を加えることが可能である。
【符号の説明】
【００２９】
１…サージ防護素子、２…絶縁性管、３…封止電極、４，５４…板状絶縁性部材、４ａ…溝部、４ｂ…板状絶縁性部材の端部、５…放電補助部
【図１】
2019153477.tif 000003
【図２】
2019153477.tif 000004
【図３】
2019153477.tif 000005
【図４】
2019153477.tif 000006
【図５】
2019153477.tif 000007